(57)【要約】【課題】ＣＣの数が増えた場合でも、設定画面上の文字の表示サイズを維持できるとともに、目的とするＣＣの設定内容を的確に把握でき、短時間かつ正確な測定パラメータの設定を可能にする測定装置及び測定パラメータ設定方法を提供する。【解決手段】パラメータ設定制御部２１は、ＣＣ選択ツール４１と、属性種別選択ボタン４２とを含む設定画面１８ａを表示部１６に表示する第１の表示処理部３０と、属性種別選択ボタン４２の操作に応じて、表示領域を形成し、操作された属性種別選択ボタン４２に対応する属性種別の複数の設定項目を各ＣＣ指定枠４１ｅにそれぞれ対応させかつ縦方向に配列して表示する第１の表示態様と、表示領域を閉じて複数の設定項目を非表示とし、直下の属性種別選択ボタン４２を操作された属性種別選択ボタン４２の直近位置に戻す第２の表示態様と、を切り換えて表示する第２の表示処理部３１と、を有する。【選択図】図２
2020010260.tif 000002
【特許請求の範囲】
【請求項１】
予め定められた数のコンポーネントキャリアを同時に用いて通信を行うキャリアアグリゲーション方式の被測定装置（６０）を測定する測定装置（１）であって、
前記予め定められた数以上の数を有する選択対象のコンポーネントキャリアにそれぞれ対応するＣＣ指定枠（４１ｅ）を横方向に配列し、所定数の前記ＣＣ指定枠が設定対象エリアに表示されるようにスクロールすることで前記設定対象エリア内の前記ＣＣ指定枠に対応するコンポーネントキャリアを設定対象として選択するＣＣ選択ツール（４１）と、縦方向に近接して配列され、前記選択対象のコンポーネントキャリアの設定項目の属性種別にそれぞれ対応する属性種別選択ボタン（４２）とを含む設定画面（１８ａ）を表示部（１６）に表示する第１の表示処理手段（３０）と、
前記属性種別選択ボタンの操作に応じて、直下の前記属性種別選択ボタンを直近位置から下方に移動させて表示領域を形成し、前記操作された属性種別選択ボタンに対応する属性種別の複数の設定項目を前記各ＣＣ指定枠にそれぞれ対応させかつ縦方向に配列して表示する第１の表示態様と、前記表示領域を閉じて前記複数の設定項目を非表示とし、前記直下の属性種別選択ボタンを前記操作された属性種別選択ボタンの直近位置に戻す第２の表示態様とを切り換えて表示する第２の表示処理手段（３１）と、
前記設定対象として選択した前記コンポーネントキャリアに対応して前記表示領域に表示されている前記設定項目に対する操作部（１５）での設定入力を受付け、該設定入力に基づいて当該コンポーネントキャリアの測定パラメータを設定する設定手段（３３）と、
を有することを特徴とする測定装置。
【請求項２】
前記第２の表示処理手段は、前記属性種別選択ボタンの操作に応じて、該属性種別選択ボタンに対応して表示する前記設定項目の範囲を指定する範囲指定ツール（４３ａ、４５ａ、４６ａ）を表示し、前記範囲指定ツールにより指定された範囲の前記設定項目を表示することを特徴とする請求項１に記載の測定装置。
【請求項３】
前記第２の表示処理手段は、前記範囲指定ツールとして、全ての設定項目の表示を指定するツール（Ａｌｌ）、基本となる設定項目の表示を指定するツール（Ｂａｓｉｃ）、及び特定の設定項目（ＤＭ−ＲＳ、ＰＴ−ＲＳ）の表示を指定するツールを選択可能に表示することを特徴とする請求項２に記載の測定装置。
【請求項４】
前記被測定装置の測定結果を前記表示部に表示する表示制御手段（２３）を有し、
前記第１の表示処理手段は、前記表示部における前記測定結果の表示領域（１７）に隣接したパラメータ設定表示領域（１８）に前記設定画面を表示することを特徴とする請求項１〜３のいずれか１項に記載の測定装置。
【請求項５】
請求項１に記載の測定装置を用いて前記キャリアアグリゲーション方式の被測定装置を測定するための前記予め定められた数のコンポーネントキャリアの測定パラメータを設定する測定パラメータ設定方法であって、
前記測定装置を準備する段階と、
前記選択対象のコンポーネントキャリアにそれぞれ対応するＣＣ指定枠（４１ｅ）を横方向に配列し、所定数の前記ＣＣ指定枠が設定対象エリアに表示されるようにスクロールすることで前記設定対象エリア内の前記ＣＣ指定枠に対応するコンポーネントキャリアを設定対象として選択するＣＣ選択ツール（４１）と、縦方向に近接して配列され、前記選択対象のコンポーネントキャリアの設定項目の属性種別にそれぞれ対応する属性種別選択ボタン（４２）とを含む設定画面（１８ａ）を前記表示部に表示する第１の表示処理段階（Ｓ２）と、
前記属性種別選択ボタンの操作に応じて、直下の前記属性種別選択ボタンを直近位置から下方に移動させて表示領域を形成し、前記操作された属性種別選択ボタンに対応する属性種別の複数の設定項目を前記各ＣＣ指定枠にそれぞれ対応させかつ縦方向に配列して表示する第１の表示態様と、前記表示領域を閉じて前記複数の設定項目を非表示とし、前記直下の属性種別選択ボタンを前記操作された属性種別選択ボタンの直近位置に戻す第２の表示態様とを切り換えて表示する第２の表示処理段階（Ｓ１７、Ｓ１６）と、
前記設定対象として選択した前記コンポーネントキャリアに対応して前記表示領域に表示されている前記設定項目に対する操作部（１５）での設定入力を受付け、該設定入力に基づいて当該コンポーネントキャリアの測定パラメータを設定する設定段階（Ｓ６）と、を含むことを特徴とする測定パラメータ設定方法。
【発明の詳細な説明】
【技術分野】
【０００１】
本発明は、複数のコンポーネントキャリアを同時に用いる通信方式の通信装置を測定するために当該各コンポーネントキャリアの測定パラメータを設定する機能を有する測定装置及び測定パラメータ設定方法に関する。
【背景技術】
【０００２】
携帯電話システムにおいては、携帯端末の多機能化に伴い、基地局との間の無線による通信速度が高速化されており、近年では、例えば、ＬＴＥ−Ａｄｖａｎｃｅｄ方式等を採用している４Ｇ（第４世代）のサービスから５Ｇ（第５世代）のサービスへ移行するための技術開発が進展しつつある。
【０００３】
５Ｇの無線仕様である５Ｇ  ＮＲでは、ＬＴＥ−Ａｄｖａｎｃｅｄ方式の規格以前に用いられていたキャリアを１つのコンポーネントキャリア（以下、ＣＣと記す）単位として扱い、これを複数同時に用いて一つの携帯端末との間で通信を行うキャリアアグリゲーション（Carrier Aggregation：以下、ＣＡと記す）技術を用いて通信帯域幅を拡張して上記高速化を実現している。
【０００４】
ＣＡ方式の通信装置を測定する測定装置においては、複数のＣＣのうちから、当該測定対象の通信装置が使用するＣＣを選んで測定パラメータを設定する必要がある。この種の従来の測定装置としては、上述した各ＣＣの測定パラメータの設定を容易にするために、例えば、複数のＣＣのリストを含む第１の設定画面を表示部に表示し、操作部の操作によってリスト中のいずれかのＣＣが指定されたとき、そのＣＣに対して割当て可能なパラメータファイルの種別を含む第２の設定画面を表示し、操作部の操作によって所望のパラメータファイルの種別を指定させる技術が特許文献１に提案されている（段落００４２、００４６、図７、図９参照）。
【先行技術文献】
【特許文献】
【０００５】
【特許文献１】特開２０１４−１６５６５５号公報
【発明の概要】
【発明が解決しようとする課題】
【０００６】
特許文献１に記載の装置では、設定に際して全てのＣＣの測定パラメータの内容を表示する方式を採用している。一方、この種の測定装置では、表示部の表示画面に対して、被測定装置から送出される信号の測定結果とともにパラメータ設定画面をも表示する構成を有するものがある。
【０００７】
このような画面構成にあっては、特許文献１に記載の装置のようにパラメータ設定画面上に全てのＣＣの測定パラメータの内容を表示する方式を採用した場合、文字の表示サイズが小さくなり、読み難いものとなる。しかも、表示中の複数のＣＣの中から目的とするＣＣを把握し難くなる。そればかりではなく、今後、ＣＣが増えることで上記測定結果の表示領域が増え一方で、パラメータ設定画面のサイズが制約されるようになると、目的とするＣＣの把握が増々困難となることが見込まれる。
【０００８】
また、全てのＣＣを表示する方式の従来装置では、目的のＣＣに対する設定ミスの他、変更する必要がないＣＣの測定パラメータを誤って変更設定するミスも生じ易く、そのリカバリーのための時間ロスによって設定完了まで時間がかかるという問題点があった。
【０００９】
本発明は、このような従来の課題を解決するためになされたものであって、ＣＣの数が増えた場合でも、設定画面上の文字の表示サイズを維持できるとともに、目的とするＣＣの設定内容を的確に把握でき、短時間かつ正確な測定パラメータの設定を可能にする測定装置及び測定パラメータ設定方法を提供することを目的とする。
【課題を解決するための手段】
【００１０】
上記課題を解決するために、本発明の請求項１に係る測定装置は、予め定められた数のコンポーネントキャリアを同時に用いて通信を行うキャリアアグリゲーション方式の被測定装置（６０）を測定する測定装置（１）であって、前記予め定められた数以上の数を有する選択対象のコンポーネントキャリアにそれぞれ対応するＣＣ指定枠（４１ｅ）を横方向に配列し、所定数の前記ＣＣ指定枠が設定対象エリアに表示されるようにスクロールすることで前記設定対象エリア内の前記ＣＣ指定枠に対応するコンポーネントキャリアを設定対象として選択するＣＣ選択ツール（４１）と、縦方向に近接して配列され、前記選択対象のコンポーネントキャリアの設定項目の属性種別にそれぞれ対応する属性種別選択ボタン（４２）とを含む設定画面（１８ａ）を表示部（１６）に表示する第１の表示処理手段（３０）と、前記属性種別選択ボタンの操作に応じて、直下の前記属性種別選択ボタンを直近位置から下方に移動させて表示領域を形成し、前記操作された属性種別選択ボタンに対応する属性種別の複数の設定項目を前記各ＣＣ指定枠にそれぞれ対応させかつ縦方向に配列して表示する第１の表示態様と、前記表示領域を閉じて前記複数の設定項目を非表示とし、前記直下の属性種別選択ボタンを前記操作された属性種別選択ボタンの直近位置に戻す第２の表示態様とを切り換えて表示する第２の表示処理手段（３１）と、前記設定対象として選択した前記コンポーネントキャリアに対応して前記表示領域に表示されている前記設定項目に対する操作部（１５）での設定入力を受付け、該設定入力に基づいて当該コンポーネントキャリアの測定パラメータを設定する設定手段（３３）と、を有することを特徴とする。
【００１１】
この構成により、本発明の請求項１係る測定装置は、キャリアアグリゲーション方式の被測定装置の測定に先立ち、設定画面上で、所望の属性種別の属性種別選択ボタンの操作に応じて該属性種別の設定項目を表示、非表示を選択可能であり、全ての設定項目を表示する場合に比べて設定画面のコンパクト化が可能となり、ＣＣの数が増えた場合でも文字の表示サイズを小さくせずに済む。これにより、設定ミスを低減でき、リカバリー時間も短縮できる。また、所望の属性種別以外の設定項目が隠されているため、誤って設定変更するミスも防止できる。また、設定画面以外の情報も表示する表示部の限られた表示領域の有効活用が図れる。
【００１２】
また、本発明の請求項２に係る測定装置は、請求項１に係る測定装置において、前記第２の表示処理手段は、前記属性種別選択ボタンの操作に応じて、該属性種別選択ボタンに対応して表示する前記設定項目の範囲を指定する範囲指定ツール（４３ａ、４５ａ、４６ａ）を表示し、前記範囲指定ツールにより指定された範囲の前記設定項目を表示することを特徴とする。
【００１３】
この構成により、本発明の請求項２に係る測定装置は、属性種別選択ボタンを操作して複数の設定項目を表示させる場合でも、範囲指定ツールを用いて表示する設定項目の範囲を指定することができ、ユーザが望む設定項目を表示することでより確実かつ正確な設定が行えるようになる。
【００１４】
また、本発明の請求項３に係る測定装置は、請求項２に係る測定装置において、前記第２の表示処理手段は、前記範囲指定ツールとして、全ての設定項目の表示を指定するツール（Ａｌｌ）、基本となる設定項目の表示を指定するツール（Ｂａｓｉｃ）、及び特定の設定項目（ＤＭ−ＲＳ、ＰＴ−ＲＳ）の表示を指定するツールを選択可能に表示することを特徴とする。
【００１５】
この構成により、本発明の請求項３に係る測定装置は、全ての設定項目を設定する場合、基本設定項目を設定する場合、特定の設定項目を表示する場合等の各状況に応じて必要な分の設定項目を表示させることで設定対象を確実に把握することができ、短時間で正確な設定を行うことができる。
【００１６】
また、本発明の請求項４に係る測定装置は、請求項１〜３のいずれか１項に係る測定装置において、前記被測定装置の測定結果を前記表示部に表示する表示制御手段（２３）を有し、前記第１の表示処理手段は、前記表示部における前記測定結果の表示領域（１７）に隣接したパラメータ設定表示領域（１８）に前記設定画面を表示することを特徴とする。
【００１７】
この構成により、本発明の請求項４に係る測定装置は、今後、ＣＣの数が増えて測定結果の表示領域が拡張する一方で、測定パラメータ設定領域が増々制約される状況下においても、文字の表示サイズを保ち、設定に必要な設定項目を主体に表示することで、設定対象をより確実に把握でき、設定ミスが少なくより短時間かつ正確な測定パラメータの設定が見込めるようになる。
【００１８】
また、本発明の請求項５に係る測定パラメータ設定方法は、請求項１に記載の測定装置を用いて前記キャリアアグリゲーション方式の被測定装置を測定するための前記予め定められた数のコンポーネントキャリアの測定パラメータを設定する測定パラメータ設定方法であって、前記測定装置を準備する段階と、前記選択対象のコンポーネントキャリアにそれぞれ対応するＣＣ指定枠（４１ｅ）を横方向に配列し、所定数の前記ＣＣ指定枠が設定対象エリアに表示されるようにスクロールすることで前記設定対象エリア内の前記ＣＣ指定枠に対応するコンポーネントキャリアを設定対象として選択するＣＣ選択ツール（４１）と、縦方向に近接して配列され、前記選択対象のコンポーネントキャリアの設定項目の属性種別にそれぞれ対応する属性種別選択ボタン（４２）とを含む設定画面（１８ａ）を前記表示部に表示する第１の表示処理段階（Ｓ２）と、前記属性種別選択ボタンの操作に応じて、直下の前記属性種別選択ボタンを直近位置から下方に移動させて表示領域を形成し、前記操作された属性種別選択ボタンに対応する属性種別の複数の設定項目を前記各ＣＣ指定枠にそれぞれ対応させかつ縦方向に配列して表示する第１の表示態様と、前記表示領域を閉じて前記複数の設定項目を非表示とし、前記直下の属性種別選択ボタンを前記操作された属性種別選択ボタンの直近位置に戻す第２の表示態様とを切り換えて表示する第２の表示処理段階（Ｓ１７、Ｓ１６）と、前記設定対象として選択した前記コンポーネントキャリアに対応して前記表示領域に表示されている前記設定項目に対する操作部（１５）での設定入力を受付け、該設定入力に基づいて当該コンポーネントキャリアの測定パラメータを設定する設定段階（Ｓ６）と、を含むことを特徴とする。
【００１９】
この構成により、本発明の請求項５に係る測定パラメータ設定方法は、キャリアアグリゲーション方式の被測定装置を測定する請求項１に記載の測定装置を準備し、設定画面上で、所望の属性種別の属性種別選択ボタンの操作に応じて該属性種別の設定項目を表示、非表示を選択可能であり、全ての設定項目を表示する場合に比べて設定画面のコンパクト化が可能となり、ＣＣの数が増えた場合でも文字の表示サイズを小さくせずに済む。これにより、設定ミスを低減でき、リカバリー時間も短縮できる。また、所望の属性種別以外の設定項目が隠されているため、誤って設定変更するミスも防止できる。
【発明の効果】
【００２０】
本発明は、ＣＣの数が増えた場合でも、設定画面上の文字の表示サイズを維持できるとともに、目的とするＣＣの設定内容を的確に把握でき、短時間かつ正確な測定パラメータの設定を可能にする測定装置及び測定パラメータ設定方法を提供することができる。
【図面の簡単な説明】
【００２１】
【図１】本発明の一実施形態に係る測定装置の構成を示すブロック図である。
【図２】本発明の一実施形態に係る測定装置の制御部の機能構成を示すブロック図である。
【図３】本発明の一実施形態に係る測定装置のハードウェア構成図である。
【図４】本発明の一実施形態に係る測定装置の表示部の画面構成を示す図である。
【図５】本発明の一実施形態に係る測定装置におけるＣＣの測定パラメータの設定画面を開いた直後の表示態様を示す図である。
【図６】図５における設定画面で各属性種別選択ツールが押下された際の選択メニューの表示例を示す図である。
【図７】図５における設定画面でＳＳ−Ｂｌｏｃｋボタンの選択メニューからＡｌｌが選択された場合の表示例を示す図である。
【図８】図５における設定画面でＳｌｏｔ−Ｃｏｎｔｒｏｌボタンが押下された場合の表示例を示す図である。
【図９】図５における設定画面でＰＤＳＣＨ／ＤＭ−ＲＳボタンの選択メニューからＡｌｌが選択された場合の表示例を示す図である。
【図１０】図９における設定画面でＦｉｘｅｄ  Ｐａｒａｍｅｒｔｅｒｓボタンが操作された場合の設定画面の表示例を示す図である。
【図１１】図５における設定画面でＰＤＳＣＨ／ＤＭ−ＲＳボタンの選択メニューからＢａｓｉｃが選択された場合の表示例を示す図である。
【図１２】本発明の一実施形態に係る測定装置におけるＣＣの測定パラメータ設定処理を示すフローチャートである。
【図１３】図１２のステップＳ４における表示／非表示選択受付け処理の詳細を示すフローチャートである。
【発明を実施するための形態】
【００２２】
以下、本発明に係る測定装置及び測定パラメータ設定方法の一実施形態について図面を用いて説明する。
【００２３】
本実施形態では、ＣＡ方式の被測定装置６０（図１参照）の測定を行う測定装置１として、被測定装置（以下、ＤＵＴという）６０からの出力信号を解析する信号解析装置を例に挙げ、該信号解析装置に本発明の測定パラメータ設定方法を適用した場合について説明する。ここで、ＤＵＴ６０としては、ＣＡ方式の携帯電話やモバイル端末等の携帯端末、及び基地局などの各種の無線機器（通信装置）を適用することを想定している。
【００２４】
測定装置１は、ＤＵＴ６０の出力信号を測定するために、当該ＤＵＴ６０とのＣＡ方式の通信で同時に用いる予め決められた数のＣＣを対象として、ＣＣごとに少なくとも１つの測定パラメータを設定するようになっている。ＣＡ方式の測定パラメータは、例えば、図５に示すように、ＳＳ−Ｂｌｏｃｋ、Ｓｌｏｔ−Ｃｏｎｔｒｏｌ、ＰＤＣＣＨ／ＤＭ−ＲＳ、ＰＤＳＣＨ／ＤＭ−ＲＳ等の属性種別に分類され、かつ、これら各属性種別に属する複数の設定項目が存在する。これら属性種別及び設定項目はあくまでも一例であって、本発明は、これらの属性種別及び設定項目に限らず、３ＧＰＰ  ＬＴＥ規格に基づく種々の測定パラメータの設定に対応可能である。３ＧＰＰ  ＬＴＥ規格に基づく測定パラメータの定義内容についてはこの技術分野の技術者にとっては周知のものであり、ここでの詳しい説明は割愛する。
【００２５】
なお、本発明は、所定数の属性種別に分類される設定項目についてＣＣごとに測定パラメータの設定を行うものであれば、ＣＡ方式の測定パラメータに限らず、他の方式の測定パラメータ設定にも適用可能である。また、本発明は、本実施形態で挙げている信号解析装置に限らず、ＤＵＴ６０を測定するための試験信号を送信する信号送信装置、及びその測定パラメータ設定方法にも適用可能である。
【００２６】
図１に示すように、本実施形態に係る測定装置１は、ローカル信号発生部１１、ミキサ部１２、Ａ／Ｄ変換部１３、解析部１４、操作部１５、表示部１６、測定パラメータ格納部１９、制御部２０を備えている。
【００２７】
ミキサ部１２は、ＤＵＴ６０が被試験信号として出力するＲＦ信号を入力し、該入力ＲＦ信号をローカル信号発生部１１により発生されるローカル信号とミキシングすることにより中間周波数帯の信号（ＩＦ信号）に変換する。
【００２８】
Ａ／Ｄ変換部１３は、ミキサ部１２から出力されるＩＦ信号をアナログ信号からデジタル信号に変換して解析部１４へ出力する。
【００２９】
解析部１４は、デジタル信号に変換されたＩＦ信号を取り込み、測定パラメータ格納部１９に設定データとして格納されている測定パラメータを用いて、被試験信号、すなわち、ＤＵＴ６０の出力信号に関する各種の測定（解析）処理を実行する。解析部１４は、例えば、ＤＵＴ６０の出力信号の周波数スペクトル分布や、電力等の測定を行う。
【００３０】
操作部１５は、例えばキーボードやマウス等の入力手段を有し、該入力手段の操作に応じた各種命令や指示等を入力するものである。操作部１５は、例えば、ＤＵＴ６０を測定するために必要な各ＣＣの測定パラメータを設定するための設定画面１８ａ（図４参照）の表示命令や、設定画面１８ａに表示されている選択対象項目の設定指令、設定項目の設定値の入力などを行うようになっている。
【００３１】
表示部１６は、各種の情報を表示するものであり、例えば、液晶表示装置等で構成されている。本実施形態において、表示部１６は、例えば、図４に示すように、予め設定されている測定パラメータに基づくＤＵＴ６０の出力信号の種々の測定結果を表示する領域１７ａ及び１７ｂを有する測定結果表示領域１７と、該測定に用いる測定パラメータを設定するための設定画面１８ａを表示するパラメータ設定表示領域１８と、を有する。
【００３２】
測定パラメータ格納部１９は、ＤＵＴ６０の出力信号の測定に必要な測定パラメータにおける各設定項目の候補データ及び設定データと、を格納している。候補データは、表示部１６に表示される設定画面１８ａ（図４参照）を用いて各設定項目の設定を行う際に参照される設定値の候補となるデータであり、設定データは、候補データや手入力データに基づいて設定値として格納されたデータである。候補データは、設定画面１８ａ上で、例えばスプリットボタンで構成される設定項目の設定値として選択可能なデータである。
【００３３】
制御部２０は、測定装置１全体の制御を行うものである。制御部２０は、ＤＵＴ６０の出力信号を測定するための測定パラメータの設定制御を行うパラメータ設定制御部２１、パラメータ設定制御部２１により設定された測定パラメータに基づいてＤＵＴ６０の出力信号を測定する制御を行う測定制御部２２、表示部１６の上記設定制御及び測定制御等に係る画面等の表示制御を行う表示制御部２３を備えている。表示制御部２３は、本発明の表示制御手段に相当する。
【００３４】
制御部２０において、パラメータ設定制御部２１は、例えば、図２に示すように、第１の表示処理部３０、第２の表示処理部３１、設定入力受付部３２、及び設定部３３を有している。
【００３５】
第１の表示処理部３０は、操作部１５での測定パラメータの設定に係る所定の設定開始指示操作に基づいて表示部１６のパラメータ設定表示領域１８に初期画面としての設定画面１８ａを表示する処理を行う。具体的に、第１の表示処理部３０は、例えば、図５に示すように、ＣＣ選択ツール４１と属性種別選択ボタン４２とを含む設定画面１８ａを表示する。ＣＣ選択ツール４１は、ＤＵＴ６０を測定する各々異なる周波数の複数のＣＣにそれぞれ対応するＣＣ指定枠４１ｅが横方向に配列されている。属性種別選択ボタン４２は、縦方向に近接して配列され、ＣＣの設定項目の属性種別にそれぞれ対応するＳＳ−Ｂｌｏｃｋボタン４３、Ｓｌｏｔ−Ｃｏｔｒｏｌボタン４４、ＰＤＣＣＨ／ＤＭ−ＲＳボタン４５、ＰＤＳＣＨ／ＤＭ−ＲＳボタン４６を有する。
【００３６】
第２の表示処理部３１は、設定画面１８ａ上のいずれかの属性種別選択ボタン４２の操作に応じて、該操作されたボタンの直下の属性種別選択ボタン４２を直近位置から下方に移動させて表示領域を形成し、該操作された属性種別選択ボタン４２に対応する属性種別の複数の設定項目を各ＣＣ指定枠４１ｅにそれぞれ対応させかつ縦方向に配列して表示する第１の表示態様と、表示領域を閉じて複数の設定項目を非表示とし、直下の属性種別選択ボタン４２を操作された属性種別選択ボタン４２の直近位置に戻す第２の表示態様とを切り換えて表示する表示処理を行う。
【００３７】
設定入力受付部３２は、表示された設定項目に対して操作部１５でのユーザ操作により入力される候補データを受け付け、設定入力として設定部３３に送出する。
【００３８】
設定部３３は、各設定項目について設定入力受付部３２が受け付けた候補データを各設定項目の設定値として測定パラメータ格納部１９の設定データ格納領域に格納する。なお、上述した第１の表示処理部３０、第２の表示処理部３１、設定部３３は、それぞれ、本発明の第１の表示処理手段、第２の表示処理手段、設定手段を構成する。
【００３９】
制御部２０は、例えば、コンピュータ装置によって構成される。このコンピュータ装置は、例えば、図３に示すように、所定の信号が入力される入力インターフェース（Ｉ／Ｆ）２０１と、測定装置１の機能を実現するための所定の情報処理や制御を行うＣＰＵ（Central Processing Unit）２０２と、ＣＰＵ２０２を立ち上げるためのＯＳ（Operating System）やその他のプログラム及び制御用のパラメータ等を記憶するＲＯＭ（Read Only Memory）２０３と、ＣＰＵ２０２が動作に用いるＯＳやアプリケーションの実行コードやデータ等を記憶するＲＡＭ（Random Access Memory）２０４と、所定の信号を出力する出力インターフェース（Ｉ／Ｆ）２０５と、図示しないハードディスク装置などの不揮発性の記憶媒体と、各種入出力ポートとを有する。このコンピュータ装置は、ＣＰＵ２０２がＲＡＭ２０４を作業領域としてＲＯＭ２０３に格納されたプログラムを実行することにより上述したパラメータ設定制御部２１、測定制御部２２、表示制御部２３、及びパラメータ設定制御部２１を構成する第１の表示処理部３０、第２の表示処理部３１、設定入力受付部３２及び設定部３３として機能する。
【００４０】
次に、本実施形態に係る測定装置１の測定パラメータの設定画面１８ａの構成について図５〜図１１を参照して説明する。
【００４１】
この測定装置１では、操作部１５で測定パラメータ設定のための所定の開始指示操作が行われると、測定パラメータの設定画面１８ａが表示部１６に表示される。設定画面１８ａは、例えば図４に示すように、ＤＵＴ６０の出力信号（入力ＲＦ信号）の測定結果である波形データ等を表示する測定結果表示領域１７に隣接して設けられるパラメータ設定表示領域１８に表示される。ユーザは、測定結果表示領域１７に表示される測定結果を観察しながら、設定画面１８ａに表示されている各設定項目の設定値を入力することにより測定パラメータの設定作業を行う。
【００４２】
設定画面１８ａは、上述した開始指示操作により表示部１６に最初に表示される初期画面については、例えば図５に示すように、設定種別選択ツール４０、ＣＣ選択ツール４１、属性種別選択ボタン４２、設定項目制御ツール４７、セットボタン４８、キャンセルボタン４９、縦スクロールバー５１、横スクロールバー５２を有する構成である。
【００４３】
設定種別選択ツール４０は、設定種別を選択するためのツールであり、本実施形態では、キャリア設定（Carrier Setting）ボタン、ＣＣ設定（Component Carrier Setting）ボタン、詳細設定（Detail Setting）ボタンを有している。キャリア設定ボタン、ＣＣ設定ボタン、詳細設定ボタンは、それぞれ、キャリアの設定、ＣＣの設定、ＳＳの詳細設定を選択するために用いられる。
【００４４】
ＣＣ選択ツール４１は、複数のＣＣにそれぞれ対応するＣＣ指定枠４１ｅの中から、測定パラメータを設定しようとする所望のＣＣに対応するＣＣ指定枠４１ｅを設定対象エリアに呼び出して表示させるためのツールである。ＣＣ選択ツール４１は、一方向（画面横方向）に配列され、この測定装置１がサポートする複数のＣＣにそれぞれ対応する複数のＣＣ指定枠４１ｅと、これら各ＣＣ指定枠４１ｅを配列方向（画面の左右方向）にスクロールさせるスクロールボタン４１ａ、４１ｂ、４１ｃ、４１ｄを有している。
【００４５】
なお、この測定装置１は、ＣＡ方式の種々の機種のＤＵＴ６０を測定対象とするものであり、当該測定時の通信で同時に使用するＣＣの数は各機種ごとに異なる場合がある。このため、測定装置１は、これら各機種のＤＵＴ６０が用いる予め定められた数以上の数のＣＣを選択対象としてサポートしている。これにより、測定装置１は、後述するように、選択対象のＣＣ（例えば、８個）のうちから、測定対象のＤＵＴ６０ごとに、被測定時に同時に使用する数のＣＣを選択しながら、該選択したＣＣに対する測定パラメータの設定操作を行うようになっている。すなわち、本実施形態に係る測定装置１は、ｎ（ｎは、選択対象のＣＣの数以下の正の整数）個のＣＣを同時に用いて高速通信を行うＤＵＴ６０の測定に適用できるものである。
【００４６】
本実施形態では、図７に示すように、設定対象エリアは例えば４つのＣＣ指定枠４１ｅを表示可能に構成されている。上述したスクロールボタン４１ａと４１ｂは、サポートしている全てのＣＣに対応するＣＣ指定枠４１ｅを、設定対象エリアの４つのＣＣ指定枠４１ｅにくるように画面の左右両方向にそれぞれ例えば１枠ごとにスクロールさせることができるようになっている。これに対し、スクロールボタン４１ｃと４１ｄは、複数のＣＣ指定枠４１ｅを、画面の左右両方向にそれぞれ例えば複数枠ごとに高速スクロールさせることが可能なものである。
【００４７】
このＣＣ選択ツール４１の構成によれば、例えば測定パラメータの選択対象のＣＣの数が例えばＣＣ＃０〜ＣＣ＃７の番号で識別される８個であって、かつ、ＣＣ＃０からＣＣ＃０７へと順に周波数が大きいという条件の場合、スクロールボタン４１ａまたは４１ｂを押下することにより、上記８個のＣＣをそのいずれか４つが設定対象エリアの４つのＣＣ指定枠４１ｅに入るように画面の左右にそれぞれ１枠ごとにスクロールさせことが可能である。また、このＣＣ選択ツール４１の構成によれば、スクロールボタン４１ｃまたは４１ｄを押下することにより、左端側のＣＣ指定枠４１ｅに最小周波数のＣＣ＃０が入る状態と、右端側のＣＣ指定枠４１ｅに最大周波数のＣＣ＃７が入る状態と、を極めて容易に選択できるようになる。
【００４８】
上記各ＣＣ指定枠４１ｅのスクロールに際しては、当該各ＣＣ指定枠４１ｅに対応して選択的に表示可能な後述する設定項目も一緒にスクロールされる。これにより、設定画面１８ａでは、ＣＣ選択ツール４１を用いて設定対象エリアの４つのＣＣ指定枠４１ｅに所望のＣＣ番号が入るようにスクロールさせることで、当該４つのＣＣ指定枠４１ｅに入ったＣＣ番号を有するＣＣを設定対象として選択することが可能となる。
【００４９】
このように、ＣＣ選択ツール４１は、複数のＣＣにそれぞれ対応するＣＣ指定枠４１ｅを横方向に配列し、所定数のＣＣ指定枠４１ｅが設定対象エリアに表示されるようにスクロールすることで該設定対象エリア内のＣＣ指定枠４１ｅに対応するＣＣを設定対象として選択する構成となっている。
【００５０】
なお、ＣＣの選択指定機能に関しては、上記スクロール機能の他、上記４つのＣＣ指定枠４１ｅに収容されるＣＣを、ＣＣ＃０〜ＣＣ＃３、ＣＣ＃４〜ＣＣ＃７というように識別番号を直接指定して呼び出す構成としてもよい。
【００５１】
また、図５に示す設定画面１８ａにおいて、属性種別選択ボタン４２は、測定パラメータの設定項目の属性種別を選択するためのものである。この例では、属性種別選択ボタン４２として、ＳＳ−Ｂｌｏｃｋボタン４３、Ｓｌｏｔ−Ｃｏｎｔｒｏｌボタン４４、ＰＤＣＣＨ／ＤＭ−ＲＳボタン４５、ＰＤＳＣＨ／ＤＭ−ＲＳボタン４６が表示されている。
【００５２】
ＳＳ−Ｂｌｏｃｋボタン４３、Ｓｌｏｔ−Ｃｏｎｔｒｏｌボタン４４、ＰＤＣＣＨ／ＤＭ−ＲＳボタン４５、ＰＤＳＣＨ／ＤＭ−ＲＳボタン４６は、いずれも、当該各ボタンの操作に応じて、直下のボタンを直近位置から下方に移動させてその属性種別の設定項目の表示領域を形成する拡張表示機能と、形成した表示領域を閉じて複数の設定項目を隠す非表示状態とする縮小表示機能と、を有している。これら拡張表示／縮小表示機能は、例えば、第２の表示処理部３１の表示処理により実現される。
【００５３】
設定項目の拡張／縮小表示機能についてさらに詳しく説明する。上述した属性種別選択ボタン４２のうち、ＳＳ−Ｂｌｏｃｋボタン４３、ＰＤＣＣＨ／ＤＭ−ＲＳボタン４５、ＰＤＳＣＨ／ＤＭ−ＲＳボタン４６は、それぞれ、例えば図６に示すように、押下（クリック）されることで後述する選択メニュー４３ａ、４５ａ、４６ａが表示されるスプリットボタンにより構成されている。これに対し、Ｓｌｏｔ−Ｃｏｎｔｒｏｌボタン４４は、押下されることでメニュー項目が展開されるドロップダウンボタンにより構成されている。
【００５４】
具体的に、ＳＳ−Ｂｌｏｃｋボタン４３は、例えば、図６（ａ）に示すように、押下されることでAll(Default)、Basic、Power Boostingのいずれか１つを選択可能な選択メニュー４３ａが表示される構成である。ＰＤＣＣＨ／ＤＭ−ＲＳボタン４５及びＰＤＳＣＨ／ＤＭ−ＲＳボタン４６は、図６（ｂ）、（ｃ）に示すように、押下されることでそれぞれAll(Default)、Basic、DM-RS、PT-RSを選択対象とする選択メニュー４５ａ、４６ａが表示される構成である。ここでいう選択メニュー４３ａ、４５ａ、４６ａは、それぞれ、本発明の表示する設定項目の範囲を指定する範囲指定ツールに相当する。
【００５５】
設定項目制御ツール４７は、表示中の各設定項目の表示態様を制御するためのツールである。本実施形態では、設定項目制御ツール４７として、Ｆｉｘｅｄ  Ｐａｒａｍｅｒｔｅｒｓボタン４７ａと、ＶａｌｉｄＣＣボタン４７ｃと、が設けられている。Ｆｉｘｅｄ  Ｐａｒａｍｅｒｔｅｒｓボタン４７ａは、例えば、設定項目の表示中に押下することでその中の固定の値がある設定項目を隠すことを指示可能で、再押下することで全ての設定項目を表示することを指示可能なトグルボタンで構成されている。
【００５６】
ＶａｌｉｄＣＣボタン４７ｃは、例えば、設定項目の表示中に押下することで、設定可能なＣＣのみを表示することを指示することができるものである。本実施形態において、ＶａｌｉｄＣＣボタン４７ｃは、例えば、再押下することで全てのＣＣの設定項目を表示することを指示するＡｌｌＣＣボタン４７ｂとして表示されるトグルボタンにより構成されている。
【００５７】
セットボタン４８は、設定項目に対してユーザが候補データ中から選択した候補データあるいは手入力した設定値などの設定入力に基づく測定パラメータとしての設定実行を指示するためのボタンである。キャンセルボタン４９は、設定入力等のキャンセルを指示するためのボタンである。縦スクロールバー５１、及び横スクロールバー５２は、設定画面１８ａに表示されている情報を、それぞれ、縦方向、及び横方向にスクロールすることを指示するツールである。
【００５８】
次に、本実施形態に係る測定装置１の測定パラメータの設定操作の例について説明する。ここでは、初期画面として図５に示す設定画面１８ａが表示され、設定種別選択ツール４０により詳細設定（Detail Setting）が選択されているときの設定操作例について説明する。このとき、設定対象エリアの４つのＣＣ指定枠４１ｅには、ＣＣ♯０、ＣＣ＃１、ＣＣ＃２、ＣＣ＃３が割付けられ、これら各ＣＣが測定パラメータの設定対象として選択されているものとする。
【００５９】
測定装置１では、図５に示す設定画面１８ａ上で、例えばＳＳ−Ｂｌｏｃｋボタン４３が押下され、その際に表示される選択メニュー４３ａ（図６（ａ）参照）からAll(Defauit)が選択されると、第２の表示処理部３１の表示処理によって、設定画面１８ａが図７に示す表示態様に遷移する。このときの設定画面１８ａは、ＳＳ−Ｂｌｏｃｋボタン４３とその下方のＳｌｏｔ−Ｃｏｎｔｒｏｌボタン４４との間に表示領域４３ｂが確保され、該表示領域４３ｂ内に当該ＳＳ−Ｂｌｏｃｋに属する全ての設定項目が表示される。具体的には、４つのＣＣ指定枠４１ｅにそれぞれ対応して、複数の設定項目が画面縦方向に順次配列されている。
【００６０】
ＳＳ−Ｂｌｏｃｋに属する設定項目としては、SS-Block Subcarrier Spacing、SS-Block Candidate、Antenna Port、SSB Start RB Number、P-SS Power Boosting［ｄＢ］、PBCH-Power Boosting［ｄＢ］などがある。
【００６１】
ここで、画面縦方向に順次配列される複数の設定項目は、各ＣＣ指定枠４１に共通した内容である。この点は他の属性種別についても同様である。この例では、表示領域４３ｂ内に表示された複数の設定項目は、それぞれ、下方向または上下方向に向くボタンを有している。これによりユーザは、設定画面１８ａ上で、所望のＣＣについて、表示領域４３ｂ内に表示されている設定項目ごとに上記ボタンの操作によって、測定パラメータ格納部１９に格納されている当該設定項目の候補データの中から所望のデータを設定入力として選択することができる。ここで、設定対象の所望のＣＣの設定入力を有効にするには、例えば、ＳＳ−Ｂｌｏｃｋボタン４３に対応し、かつ、ＣＣ指定枠４１ごとに配置されるチェックボックスにチェックを入れればよい。
【００６２】
所望のデータを選択した後、セットボタン４８を押下することにより、当該データを設定入力として設定入力受付部３２に取り込ませ、測定パラメータの設定データとして格納することができる。
【００６３】
なお、ＳＳ−Ｂｌｏｃｋ以外の属性種別の設定項目については、上述したボタンを有するタイプの設定項目と、ボタンを有しないタイプの設定項目が混在する場合がある。ボタンを有しないタイプの設定項目は、当該項目に関する任意の値をユーザが手入力することできるようになっている。
【００６４】
図７に示す設定画面１８ａ上で、ＳＳ−Ｂｌｏｃｋの全ての設定項目を表示した状態で、ＳＳ−Ｂｌｏｃｋボタン４３の選択メニュー４３ａ（図６（ａ）参照）からBasic、又はPower Boostingのいずれかを指定することができる。この場合、第２の表示処理部３１は、表示領域４３ｂに変わってBasic、又はPower Boostingに属する各設定項目の数に対応する表示領域を確保し、該表示領域内に各設定項目を表示する。
【００６５】
ＳＳ−Ｂｌｏｃｋの属性種別について、全ての設定項目、Basicに属する設定項目、Power Boostingに属する設定項目の設定終了後、ＳＳ−Ｂｌｏｃｋボタン４３に対して表示領域非表示に対応する指示操作を行うことにより、それまでの設定で表示されていた表示領域４３ｂ等の表示領域が非表示となり、図５に示すような設定項目が隠された表示態様に戻る。なお、表示領域非表示に対応する指示操作としては、例えば、ＳＳ−Ｂｌｏｃｋボタン４３を選択メニュー４３ａが表示されない状態でクリックする等の操作が考えられる。
【００６６】
また、測定装置１では、図５に示す設定画面１８ａ上で、例えばＳｌｏｔ−Ｃｏｎｔｒｏｌボタン４４が押下されると、第２の表示処理部３１の表示処理によって、設定画面１８ａが図８に示す表示態様に遷移する。このときの設定画面１８ａは、Ｓｌｏｔ−Ｃｏｎｔｒｏｌボタン４４とその直近直下のＰＤＣＣＨ／ＤＭ−ＲＳボタン４５との間に表示領域４４ｂが形成され、該表示領域４４ｂ内にＳｌｏｔ−Ｃｏｎｔｒｏｌに属する設定項目が表示される。
【００６７】
この例では、Ｓｌｏｔ−Ｃｏｎｔｒｏｌに属する設定項目として、例えば、Copy to All Slots in this CC、Copy to All Slots in All CCという設定項目が表示される。これらの設定項目に対する設定の終了後、Ｓｌｏｔ−Ｃｏｎｔｒｏｌボタン４４に対して表示領域非表示に対応する指示操作を行うことにより、それまで表示されていた表示領域を非表示とし、図５に示すような設定項目が隠された表示態様に戻すことができる。
【００６８】
また、設定画面１８ａ上で、例えばＰＤＳＣＨ／ＤＭ−ＲＳボタン４６が押下され、その際に表示される選択メニュー４６ａ（図６（ｃ）参照）からAll(Defauit)が選択されると、第２の表示処理部３１の表示処理によって、設定画面１８ａが図９に示す表示態様に遷移する。このときの設定画面１８ａは、当該ＰＤＳＣＨ／ＤＭ−ＲＳボタン４６の下方に表示領域４６ｂが形成され、該表示領域４６ｂ内に当該ＰＤＳＣＨ／ＤＭ−ＲＳに属する全ての設定項目が表示される。
【００６９】
ＰＤＳＣＨ／ＤＭ−ＲＳに属する設定項目としては、Antenna Port、Modulation Scheme、PDSCH Mapping Type、Start Symbol、End Symbol、DM-RS typeA-pos、DM-RS config type、DM-RS add-pos、PBSCH Power Boosting、PT-RS、PT-RS Time DEnsity、PT-RS Frequency Densityなどがある。
【００７０】
また、図９に示す設定画面１８ａ上で、ＰＤＳＣＨ／ＤＭ−ＲＳの全ての設定項目を表示した状態で、ＰＤＳＣＨ／ＤＭ−ＲＳボタン４６の選択メニュー４６ａ（図６（ｃ）参照）からBasicが指定されると、設定画面１８ａが図１１に示す表示態様に遷移する。このときの設定画面１８ａは、予めBasicに対応して設定されている設定項目を表示する表示領域４６ｄが形成され、該表示領域４６ｄ内に当該設定項目が表示される。
【００７１】
ここで、Basicに対応して設定されている設定項目（図１１参照）の数は、ＰＤＳＣＨ／ＤＭ−ＲＳに属する全ての設定項目（図９参照）の数よりも少ない。このため、ＰＤＳＣＨ／ＤＭ−ＲＳに属するBasicに対応する設定項目を表示したとき、その表示領域４６ｄは、図１１に示すように、全ての設定項目をする表示領域４６ｂ（図９参照）に比べ、設定項目数が減った分、画面の上方に縮まった大きさとなる。これにより、設定画面１８ａの表示領域の有効活用が図れるとともに、ユーザがBasicに対応する設定項目の設定により注力し易くなる。
【００７２】
また、図９に示す設定画面１８ａ上で、ＰＤＳＣＨ／ＤＭ−ＲＳの全ての設定項目を表示した状態で、ＰＤＳＣＨ／ＤＭ−ＲＳボタン４６の選択メニュー４６ａ（図６（ｃ）参照）からDM-RS、又はPT-RSのいずれかを指定することができる。この場合、第２の表示処理部３１は、表示領域４６ｂ、４６ｄに変わってDM-RS、又はPT-RSに属する設定項目の数に対応する表示領域を確保し、該表示領域内に各設定項目を表示する。
【００７３】
ユーザは、ＰＤＳＣＨ／ＤＭ−ＲＳＢの表示範囲に関する選択メニュー４６ａのうちから、All、Basic、DM-RS、PT-RSのいずれが選択された場合でも、設定画面１８ａ上で、所望のＣＣについて、表示領域４６ｂ内に表示されている設定項目ごとに当該設定項目に付加されているボタンの操作、又は手入力によって所望の設定値を指定し、設定入力とすることができる。
【００７４】
さらに、図９に示す設定画面１８ａにおいて、ＰＤＳＣＨ／ＤＭ−ＲＳの全ての設定項目を表示した状態で、Ｆｉｘｅｄ  Ｐａｒａｍｅｒｔｅｒｓボタン４７ａが操作され、かつ、ＰＤＳＣＨ／ＤＭ−ＲＳボタン４６が操作された場合、設定画面１８ａが図１０に示す表示態様に遷移する。このとき、第２の表示処理部３１は、Ｆｉｘｅｄ  Ｐａｒａｍｅｒｔｅｒｓボタン４７ａの操作入力に基づき固定の値がある設定項目を隠す指示であると認識し、図９に示す表示領域４６ｂに表示されている全ての設定項目中の固定の値がある設定項目を隠し、固定の値がない設定項目を主体に表示する処理を行う。
【００７５】
具体的に、第２の表示処理部３１は、図１０に示すように、表示領域４６ｂに表示中の設定項目中で固定の値がある設定項目である、例えば、End Symbol、DM-RS typeA-pos、DM-RS config type、DM-RS add-pos、PT-RS、PT-RS Time Density、PT-RS Frequebcy Densityの各設定項目を削除する一方で、図１０に示すように、残されたAntenna Port、Modulation Scheme、PDSCH Mapping Type、Start Symbol、PDSCH Power Boostingの各設定項目を画面主要部である表示領域４６ｃ内に表示する。これと同時に第２の表示処理部３１は、固定の値がない設定項目が当該設定項目の設定を行うのに適した画面位置にくるように、例えば、縦スクロールバー５１をスクロールさせる制御、すなわち、表示位置に関するオートフォーカス制御を実施する。
【００７６】
図１０に示す例では、ＰＤＳＣＨ／ＤＭ−ＲＳボタン４６及びＦｉｘｅｄ  Ｐａｒａｍｅｒｔｅｒｓボタン４７ａが操作されることにより、第２の表示処理部３１は、Ｆｉｘｅｄ  Ｐａｒａｍｅｒｔｅｒｓボタン４７ａの操作前にＰＤＳＣＨ／ＤＭ−ＲＳボタン４６上方に表示されていた情報を全て隠し、固定の値がない設定項目が画面最上段から下方へと順に縦方向に並んだ表示態様に遷移させている。この表示態様によれば、ユーザは、設定対象に対してさらにフォーカスし易くなり、測定パラメータの設定に係る操作性の向上が見込める。Ｆｉｘｅｄ  Ｐａｒａｍｅｒｔｅｒｓボタン４７ａは、本発明の非表示指令ツールに相当するものである。
【００７７】
ＰＤＳＣＨ／ＤＭ−ＲＳに属する設定項目の設定終了後、ＰＤＳＣＨ／ＤＭ−ＲＳボタン４６に対して表示領域非表示に対応する指示操作を行うことにより、それまでの設定で表示されていた表示領域４６ｂ等の表示領域が非表示となり、図５に示す表示態様に戻すことができる。
【００７８】
同様に、設定画面１８ａ上で、ＰＤＣＣＨ／ＤＭ−ＲＳボタン４５が押下され、その際に表示される選択メニュー４５ａ（図６（ｂ）照）からAll(Defauit)、Basic、DM-RS、PT-RSのいずれかが選択指定された場合も、該指定された表示範囲の各設定項目の数に対応する表示領域を確保し、該表示領域内に各設定項目を表示することができる。その際、設定画面１８ａは、ＰＤＣＣＨ／ＤＭ−ＲＳボタン４５とその下方のＰＤＳＣＨ／ＤＭ−ＲＳボタン４６との間に上記各設定項目の数に対応する表示領域が形成され、当該数の設定項目が表示される。
【００７９】
ＰＤＣＣＨ／ＤＭ−ＲＳに属する設定項目の設定終了後、ＰＤＣＣＨ／ＤＭ−ＲＳボタン４５に対して表示領域非表示に対応する指示操作を行うことにより、それまで表示されていた表示領域を非表示とし、図５に示す表示態様に戻すことができる。
【００８０】
次に、測定装置１におけるＣＣの測定パラメータ設定処理について、図１２に示すフローチャートも参照して説明する。この測定パラメータ設定処理は、図２に示す構成を有するパラメータ設定制御部２１により実施される。
【００８１】
パラメータ設定制御部２１では、まず第１の表示処理部３０がＣＣの測定パラメータの設定要求が発生したか否かを監視する（ステップＳ１）。ここで、測定パラメータの設定要求が発生していないと判定された場合（ステップＳ１でＮＯ）、第１の表示処理部３０はステップＳ１での上記監視を続行する。この間、測定パラメータの設定要求が発生したと判定された場合（ステップＳ１でＹＥＳ）、第１の表示処理部３０は、表示部１６のパラメータ設定表示領域１８内に設定画面１８ａを表示させる（ステップＳ２）。このとき、第１の表示処理部３０は、例えば、図５に示す表示態様を有する初期画面としての設定画面１８ａを表示する。
【００８２】
上記初期画面が表示された状態で、第２の表示処理部３１は、ＣＣ選択ツール４１を用いた設定対象のＣＣの選択を受け付ける処理を行う（ステップＳ３）。この処理において、第２の表示処理部３１は、測定パラメータを設定しようとする所望のＣＣを設定対象エリアの４つのＣＣ指定枠４１ｅに割り当てるためのスクロールボタン４１ａ、４１ｂ、４１ｃ、４１ｄのスクロール操作を受け付ける。
【００８３】
ステップＳ３において上記スクロール操作によって設定対象のＣＣの選択を受け付けた後、次いで第２の表示処理部３１は、属性種別及び設定項目の表示または非表示の選択を受け付ける処理を行う（ステップＳ４）。この処理を起動するに際し、ユーザは、属性種別選択ボタン４２のいずれか押下し、その際に表示される選択メニューから表示する設定項目の範囲を選択指定する操作を行う。
【００８４】
これに対し、第２の表示処理部３１は、表示する設定項目の範囲の選択指定操作を監視し、押下された属性種別選択ボタン４２の属性種別に属する設定項目のうちの、ユーザが指定した範囲の設定項目を当該押下された属性種別選択ボタン４２に対応して形成した表示領域に表示する拡張表示の処理を実行する。また、ある属性種別に属する設定項目の拡張表示中に他の属性種別の属性種別選択ボタン４２が押下されかつその属性種別の表示する設定項目の範囲が指定されると、それまで拡張表示していた属性種別の表示領域を閉じて設定項目を隠す縮小表示の処理を実行したうえで、後で選択された属性種別の指定された範囲に対応する設定項目を当該属性種別選択ボタン４２に対応させて形成した表示領域に表示する拡張表示の処理を実行する。
【００８５】
次いで、設定入力受付部３２は、ステップＳ４で選択された属性種別に対応して形成された表示領域に表示されている設定項目に対する設定入力を受け付ける処理を行う（ステップＳ５）。
【００８６】
引き続き、設定部３３は、セットボタン４８の操作を受け付けると、ステップＳ５で設定入力受付部３２が受け付けた設定入力に基づき、測定パラメータを設定する処理を行う（ステップＳ６）。この設定処理において、設定部３３は、当該設定項目について選択あるいは入力された候補データを測定パラメータ格納部１９の設定データとして格納する。
【００８７】
次に、図１２のステップＳ４における属性種別及び設定項目の表示または非表示の選択受付け処理について、図１３に示すフローチャートを参照してさらに詳細に説明する。
【００８８】
この選択受付処理においては、まず第２の表示処理部３１が、第１の表示処理部３０により表示されている設定画面１８ａ（図５参照）において、属性種別選択ボタン４２のいずれかが押下されたか否かを判定する（ステップＳ１１）。
【００８９】
ここで、いずれの属性種別選択ボタン４２も押下されていないと判定されると（ステップＳ１１でＮＯ）、次いで、設定入力受付部３２は、既に測定パラメータの設定中であるか否かを判定する（ステップＳ１２）。
【００９０】
ここで、測定パラメータの設定中であると判定された場合（ステップＳ１２でＹＥＳ）、設定入力受付部３２は、図１２のステップＳ５に移行し、現在選択中の属性種別の拡張表示されている設定項目の設定入力の受付処理を実行する。
【００９１】
これに対し、測定パラメータの設定中ではないと判定された場合（ステップＳ１２でＮＯ）、第２の表示処理部３１は、ステップＳ１に戻り、ここで属性種別選択ボタン４２が押下されていないとの判定がなされる間、ステップＳ１２、Ｓ１１の処理を繰り返し実行する。
【００９２】
この間、属性種別選択ボタン４２が押下されたことが判定された場合（ステップＳ１１でＹＥＳ）、第２の表示処理部３１は、当該属性種別選択ボタン４２に対応して選択メニューとしての範囲設定ツールを表示する（ステップＳ１３）。
【００９３】
次いで、第２の表示処理部３１は、表示した範囲指定ツールを用いた表示する設定項目の範囲の選択指定が行われたか否かを判定する（ステップＳ１４）。ここで、表示する設定項目の範囲の選択指定が行われていないと判定された場合（ステップＳ１４でＮＯ）、第２の表示処理部３１は、ステップＳ１４の処理を繰り返し実施する。
【００９４】
これに対し、表示する設定項目の範囲の選択指定が行われたと判定された場合（ステップＳ１４でＹＥＳ）、引き続き第２の表示処理部３１は、設定項目の拡張表示を行っている属性種別があるか否かを判定する（ステップＳ１５）。
【００９５】
ここで、設定項目の拡張表示を行っている属性種別があると判定された場合（ステップＳ１５でＹＥＳ）、第２の表示処理部３１は、その属性種別の設定項目の拡張表示領域を閉じて設定項目を隠し、その分の表示領域を上側に詰めて表示する縮小表示処理を実行する（ステップＳ１６）。
【００９６】
上記縮小表示処理の終了後、さらに第２の表示処理部３１は、ステップＳ１４で指定された表示する設定項目の範囲の対応する表示領域を確保（形成）したうえで、当該表示領域に指定された範囲に対応する設定項目を表示する拡張表示処理を実行する（ステップＳ１７）。
【００９７】
なお、第２の表示処理部３１は、ステップＳ１５において、設定項目の拡張表示を行っている属性種別がないと判定された場合（ステップＳ１５でＮＯ）、直ちにステップＳ１７に移行し、上述した拡張表示処理を実行する。また、ステップＳ１７で上記拡張表示処理を実施した後、パラメータ設定制御部２１は、図１２のステップＳ５での設定入力受付部３２による設定項目に対する設定入力の受付処理へと移行する。
【００９８】
以上説明したように、本実施形態に係る測定装置１は、予め定められた数のＣＣを同時に用いて通信を行うＣＡ方式のＤＵＴ６０を測定するものであって、予め定められた数以上の数を有する選択対象のＣＣにそれぞれ対応するＣＣ指定枠４１ｅを横方向に配列し、所定数のＣＣ指定枠４１ｅが設定対象エリアに表示されるようにスクロールすることで該設定対象エリア内のＣＣ指定枠４１ｅに対応するＣＣを設定対象として選択するＣＣ選択ツール４１と、縦方向に近接して配列され、選択対象のＣＣの設定項目の属性種別にそれぞれ対応するＳＳ−Ｂｌｏｃｋボタン４３、Ｓｌｏｔ−Ｃｏｔｒｏｌボタン４４、ＰＤＣＣＨ／ＤＭ−ＲＳボタン４５、ＰＤＳＣＨ／ＤＭ−ＲＳボタン４６からなる属性種別選択ボタン４２とを含む設定画面１８ａを表示部１６に表示する第１の表示処理部３０と、属性種別選択ボタン４２の操作に応じて、直下の属性種別選択ボタン４２を直近位置から下方に移動させて表示領域を形成し、操作された属性種別選択ボタン４２に対応する属性種別の複数の設定項目を各ＣＣ指定枠４１ｅにそれぞれ対応させかつ縦方向に配列して表示する第１の表示態様と、表示領域を閉じて複数の設定項目を非表示とし、直下の属性種別選択ボタン４２を操作された属性種別選択ボタン４２の直近位置に戻す第２の表示態様とを切り換えて表示する第２の表示処理部３１と、前記設定対象として選択した前記コンポーネントキャリアに対応して前記表示領域に表示されている前記設定項目に対する操作部（１５）での設定入力を受付け、該設定入力に基づいて当該コンポーネントキャリアの測定パラメータを設定する設定手段（３３）と、を有している。
【００９９】
この構成により、本実施形態に係る測定装置１は、ＣＡ方式のＤＵＴ６０の測定に先立ち、設定画面１８ａ上で、所望の属性種別の属性種別選択ボタン４２の操作に応じて該属性種別の設定項目を表示、非表示を選択可能であり、全ての設定項目を表示する場合に比べて設定画面１８ａのコンパクト化が可能となり、ＣＣの数が増えた場合でも文字の表示サイズを小さくせずに済む。これにより、設定ミスを低減でき、リカバリー時間も短縮できる。また、所望の属性種別以外の設定項目が隠されているため、誤って設定変更するミスも防止できる。また、設定画面１８ａ以外の情報も表示する表示部１６の限られた表示領域の有効活用を図ることができる。
【０１００】
また、本実施形態に係る測定装置１は、第２の表示処理部３１は、属性種別選択ボタン４２の操作に応じて、該属性種別選択ボタン４２に対応して表示する設定項目の範囲を指定する範囲指定ツール４３ａ、４５ａ、４６ａを表示し、該範囲指定ツール４３ａ、４５ａ、４６ａにより指定された範囲の設定項目を表示する構成を有している。
【０１０１】
この構成により、本実施形態に係る測定装置１は、属性種別選択ボタン４２を操作して複数の設定項目を表示させる場合でも、範囲指定ツール４３ａ、４５ａ、４６ａを用いて表示する設定項目の範囲を指定することができ、ユーザが望む設定項目を表示することでより確実かつ正確な設定が行えるようになる。
【０１０２】
また、本実施形態に係る測定装置１は、範囲指定ツール４３ａ、４５ａ、４６ａとして、全ての設定項目の表示を指定するツール（Ａｌｌ）、基本となる設定項目の表示を指定するツール（Ｂａｓｉｃ）、及び特定の設定項目（ＤＭ−ＲＳ、ＰＴ−ＲＳ）の表示を指定するツールを選択可能に表示する構成を有する。
【０１０３】
この構成により、本実施形態に係る測定装置１は、全ての設定項目を設定する場合、基本設定項目を設定する場合、特定の設定項目を表示する場合等の各状況に応じて必要な分の設定項目を表示させることで設定対象を確実に把握することができ、短時間で正確な設定を行うことができる。
【０１０４】
また、本実施形態に係る測定装置１は、第１の表示処理部３０は、特定条件として固定の値を有する設定項目を非表示とすることを指定する非表示指定ツールであるＦｉｘｅｄ  Ｐａｒａｍｅｒｔｅｒｓボタン４７ａをさらに表示し、第２の表示処理部３１は、第１の表示態様で複数の設定項目を表示しているときのＦｉｘｅｄ  Ｐａｒａｍｅｒｔｅｒｓボタン４７ａの操作に応じて、複数の設定項目のうちの固定の値を有する設定項目以外の設定項目を設定画面１８ａの主要部に表示し、かつ、表示された設定項目の設定を行うのに適した画面位置にくるように画面のスクロール制御を行う構成を有している。
【０１０５】
この構成により、本実施形態に係る測定装置１は、Ｆｉｘｅｄ  Ｐａｒａｍｅｒｔｅｒｓボタン４７ａを操作することで、表示中の複数の設定項目の中から固定の値を持つ設定項目以外の設定項目を画面主要部の当該設定項目の設定容易な画面位置に表示させることができる。これにより、ユーザは、設定対象に対してさらにフォーカスし易くなり、測定パラメータの設定に係る操作性の向上が見込める。
【０１０６】
また、本実施形態に係る測定装置１は、ＤＵＴ６０の測定結果を表示部１６に表示する表示制御部２３を有し、第１の表示処理部３０は、表示部１６における測定結果表示領域１７に隣接したパラメータ設定表示領域１８に設定画面１８ａを表示する構成を有している。
【０１０７】
この構成により、本実施形態に係る測定装置１は、今後、ＣＣの数が増えて測定結果表示領域１７が拡張する一方で、測定パラメータ設定領域１８が増々制約される状況下においても、文字の表示サイズを保ち、設定に必要な設定項目を主体に表示することで、設定対象をより確実に把握でき、設定ミスが少なくより短時間かつ正確な測定パラメータの設定が見込めるようになる。
【０１０８】
また、本実施形態に係る測定パラメータ設定方法は、上記測定装置１を用いてＣＡ方式のＤＵＴ６０を測定するための予め定められた数のＣＣの測定パラメータを設定する測定パラメータ設定方法であって、測定装置１を準備する段階と、各ＣＣにそれぞれ対応するＣＣ指定枠４１ｅを横方向に配列し、所定数のＣＣ指定枠４１ｅが設定対象エリアに表示されるようにスクロールすることで該設定対象エリア内のＣＣ指定枠４１ｅに対応するＣＣを設定対象として選択するＣＣ選択ツール４１と、縦方向に近接して配列され、選択対象のＣＣの設定項目の属性種別にそれぞれ対応する属性種別選択ボタン４２とを含む設定画面１８ａを表示部１６に表示するステップＳ２に相当する第１の表示処理段階と、属性種別選択ボタン４２の操作に応じて、直下の属性種別選択ボタン４２を直近位置から下方に移動させて表示領域を形成し、操作された属性種別選択ボタン４２に対応する属性種別の複数の設定項目を各ＣＣ指定枠４１ｅにそれぞれ対応させかつ縦方向に配列して表示する第１の表示態様と、表示領域を閉じて複数の設定項目を非表示とし、直下の属性種別選択ボタン４２を操作された属性種別選択ボタン４２の直近位置に戻す第２の表示態様とを切り換えて表示するステップＳ１７、Ｓ１６に相当する第２の表示処理段階と、前記設定対象として選択した前記コンポーネントキャリアに対応して前記表示領域に表示されている前記設定項目に対する操作部（１５）での設定入力を受付け、該設定入力に基づいて当該コンポーネントキャリアの測定パラメータを設定するステップＳ６に相当する設定段階（Ｓ６）と、を含んでいる。
【０１０９】
この構成により、ＣＡ方式のＤＵＴ６０を測定する上記測定装置１を準備し、設定画面１８ａ上で、所望の属性種別の属性種別選択ボタン４２の操作に応じて該属性種別の設定項目の表示、非表示を選択可能であり、全ての設定項目を表示する場合に比べて設定画面１８ａのコンパクト化が可能となり、ＣＣの数が増えた場合でも文字の表示サイズを小さくせずに済む。これにより、設定ミスを低減でき、リカバリー時間も短縮できる。また、所望の属性種別以外の設定項目が隠されているため、誤って設定変更するミスも防止できる。
【産業上の利用可能性】
【０１１０】
以上のように、本発明に係る測定装置及び測定パラメータ設定方法は、ＣＣの数が増えた場合でも、設定画面上の文字の表示サイズを維持できるとともに、目的とするＣＣの設定内容を的確に把握でき、短時間かつ正確な測定パラメータの設定を可能にするという効果を奏し、５Ｇ  ＮＲに適合する携帯電話やモバイル端末等の携帯端末の出力信号を解析する信号解析装置、及び該携帯電話等に試験信号を送信する信号送信装置等の測定装置及び測定パラメータ設定方法として有用である。
【符号の説明】
【０１１１】
１  測定装置
１５  操作部
１６  表示部
１７  測定結果表示領域
１８  パラメータ設定領域
１８ａ  設定画面
２１  パラメータ設定制御部
２３  表示制御部（表示制御手段）
３０  第１の表示処理部
３１  第２の表示処理部
３２  設定入力受付部
３３  設定部（設定手段）
４１  ＣＣ選択ツール
４１ｅ  ＣＣ指定枠
４２  属性種別選択ボタン
４３  ＳＳ−Ｂｌｏｃｋボタン（属性種別選択ボタン）
４３ａ，４５ａ，４６ａ  選択メニュー（範囲指定ツール）
４４  Ｓｌｏｔ−Ｃｏｔｒｏｌボタン（属性種別選択ボタン）
４５  ＰＤＣＣＨ／ＤＭ−ＲＳボタン（属性種別選択ボタン）
４６  ＰＤＳＣＨ／ＤＭ−ＲＳボタン（属性種別選択ボタン）
６０  被測定装置（ＤＵＴ）
ＣＣ  コンポーネントキャリア
【図１】
2020010260.tif 000003
【図２】
2020010260.tif 000004
【図３】
2020010260.tif 000005
【図４】
2020010260.tif 000006
【図５】
2020010260.tif 000007
【図６】
2020010260.tif 000008
【図７】
2020010260.tif 000009
【図８】
2020010260.tif 000010
【図９】
2020010260.tif 000011
【図１０】
2020010260.tif 000012
【図１１】
2020010260.tif 000013
【図１２】
2020010260.tif 000014
【図１３】
2020010260.tif 000015